(57)【特許請求の範囲】
【請求項１】
洗浄具であって、
前記洗浄具は、樹脂フィルムからなる平糸と樹脂糸を編成した編物生地を有し、
前記樹脂糸は、１６本以上８０本以下の単繊維によって構成される繊度６０デニール以上９０デニール以下の樹脂糸であり、
前記編物生地は、嵩密度が１５ｃｍ３／ｇ以上３５ｃｍ３／ｇ以下である洗浄具。
【請求項２】
２枚の前記編物生地の端縁部が互いに結合されている請求項１に記載の洗浄具。
【請求項３】
前記樹脂フィルムおよび樹脂糸は、疎水性樹脂からなる請求項１または２のいずれかに記載の洗浄具。
【発明の詳細な説明】
【技術分野】
【０００１】
本発明は、洗浄具、特に台所等の水周りにおいて食器や鍋等や浴室の浴槽・洗面器等の洗浄用途に使用される洗浄具に関する。
【背景技術】
【０００２】
従来、台所等の水周りで用いられている洗浄具としては、スポンジすなわちポリウレタンフォーム等の樹脂発泡体や、該樹脂発泡体に不織布を貼り合わせたり、ネット地で包み込んだものが使用されている。
【０００３】
これらは、スポンジを用いていることで泡立ちや洗剤保持性がよい反面、洗浄後の水切れや水はけが悪く、雑菌が繁殖し易いといった衛生面の問題があった。また、密封容器の蓋の溝部のような狭幅の場所に入り込むことができない問題もあった。
【０００４】
また、上記水切れや水はけといった乾燥性を改良した洗浄具として、平面状の編物生地で構成された洗浄具も使用されているが、泡立ちや洗剤保持性が悪く、洗浄効率が悪かった。
【０００５】
そこで、前記問題を解決するために、例えば特許文献１のような２枚の編地又は織地を連結糸で連結された立体編地で、周辺端部が固着一体化されているものがある。
【先行技術文献】
【特許文献】
【０００６】
【特許文献１】特開２００９−２４７７８９号公報
【０００７】
しかし、特許文献１に記載のクリーナーにおいても、泡立ち性及び泡もち性が十分ではなく、洗浄作業中に洗剤を継ぎ足す工程が多くなり、洗剤使用量が増え、経済性が悪く、汚れ落ち性も高くはなかった。また、食器等の洗浄対象物にこびりついた汚れを落とすには、強い力で何度もこする必要があり、効率的とはいえなかった。
【発明の概要】
【発明が解決しようとする課題】
【０００８】
本発明は、洗浄対象物にこびりついた汚れに対する高い除去性能を有し、かつ乾燥性、泡立ち性、泡もち性の高い洗浄具の提供を目的とする。
【課題を解決するための手段】
【０００９】
本発明は、洗浄具であって、かかる洗浄具は、樹脂フィルムからなる平糸と樹脂糸を編成した編物生地を有し、樹脂糸は、１６本以上８０本以下の単繊維によって構成される繊度５５デニール以上１００デニール以下の樹脂糸であり、編物生地は、嵩密度が１５ｃｍ３／ｇ以上３５ｃｍ３／ｇ以下である洗浄具を提供するものである。
【発明の効果】
【００１０】
本発明の洗浄具によれば、樹脂フィルムからなる平糸と、樹脂糸とを編成した編物生地により、洗浄対象物にこびり付いた汚れを掻き取り、かつ拭き取ることが可能となり、また、嵩密度が１５ｃｍ３／ｇ以上３５ｃｍ３／ｇ以下であることから、容易に圧縮・解放ができるため、良好な泡立ち性及び泡もち性を発揮し、更に、乾燥性、追従性に富んだものとすることができる。
【図面の簡単な説明】
【００１１】
【図１】図１は、本実施形態における洗浄具の斜視図である。
【図２】図２は、本実施形態における洗浄具の、図１のＡＡ断面の斜視図である。
【図３】図３は、他の実施形態における洗浄具の断面の斜視図である。
【発明を実施するための形態】
【００１２】
以下、本発明の実施形態について図面を参照しながら説明する。
【００１３】
図１は洗浄具１の斜視図であり、図２は、図１の洗浄具１についてＡＡ部で切断した場合の断面斜視図である。図１、図２に示されるように本実施形態の洗浄具１は、第1の面を構成する編物生地３と第２の面を構成する編物生地４が、それぞれの端縁部３１、４１が結合部２を介して互いに結合されることによって構成され、互いに結合された編物生地３、４の間に空間部５が形成されている。
【００１４】
第1の面を構成する編物生地３および第２の面を構成する編物生地４は、洗浄具１が使用される場面において、洗剤の泡立ちに必要な水分および空気を保持する。
【００１５】
編物生地３は、樹脂フィルムからならなる平糸と、樹脂糸を編成した編物生地である。編物生地３は、1本または複数、例えば２本、３本、４本または５本の平糸に対して、1本または複数の、具体的には２本、３本、４本または５本の樹脂糸を用いて編成することができる。平糸が主に掻き取り性を担保し、樹脂糸が主に拭き取り性を担保することから、平糸、樹脂糸の本数を変えることにより目的とする洗浄性能を得ることが可能となる。
【００１６】
編物生地３を構成する平糸の幅は、０．５ｍｍ以上１ｍｍ以下、０．７ｍｍ以上０．８ｍｍ以下とすることができ、また、平糸の厚さは３０μｍ以上５０μｍ以下、３５μｍ以上４０μｍ以下とすることができる。平糸は長尺の樹脂フィルムシートを所定の幅にスリットすることで作成することができる。また、所定の幅、厚さを有するフィルム状の平糸を直接形成することも可能であり、作成方法はこれらに限られるものではない。
【００１７】
平糸、すなわち樹脂フィルムの素材は、水切れ（乾燥性）の観点から、疎水性の樹脂、例えばポリエステル、ポリエチレンテレフタレート、ポリプロピレン、ポリスチレン等を使用することができる。
【００１８】
編物生地３を構成する樹脂糸は、繊度５５デニール以上１００デニール以下とすることができるが、手触り性や水切れ（乾燥性）の観点から６０デニール以上９０デニール以下、または７０デニール以上８０デニール以下とすることができる。また、樹脂糸は、複数の単繊維から構成されたマルチフィラメント糸であり、樹脂糸1本当たりの単繊維数は、水切れ（乾燥性）の観点から例えば１６本以上８０本以下とすることができ、より高い水切れ（乾燥性）の観点から２０本以上７５本以下、または２４本以上７２本以下とすることができる。
【００１９】
樹脂糸、すなわち樹脂糸を構成する単繊維の素材は、泡立ち性の観点から、疎水性の樹脂、例えばポリエステル、ポリエチレンテレフタレート、ナイロン、ポリオレフィン、ポリプロピレン等を使用することができる。
【００２０】
第２の面を構成する編物生地４は、基本的に前述の編物生地３と同一の構成であるため、詳細な説明は省略するが、清掃具１においては、編物生地３と編物生地４が同一の生地であっても良く、また、例えば、第1の面を構成する編物生地３について掻き取り性能を重視した平糸1本、樹脂糸1本の構成とした編物生地を用い、第２の面を構成する編物生地４について拭き取り性能を重視した平糸１本、樹脂糸４本または５本とした編物生地を用いるように、前述の構成の範囲内で異なる構成の生地を用いることができる。
【００２１】
洗浄具１は、第1の面を構成する編物生地３の端縁部３１と、第２の面を構成する編物生地４の端縁部４１において、結合部２を介して結合されている。結合部２は、編物生地３、４について、同一サイズの生地を重ね合わせ、端縁部３１、４１を縫合することで形成することができる。図１に示すように、洗浄具１の外形が矩形の場合、端縁部３１ａ、４１ａを縫合することで結合部２ａを形成することができ、端縁部３１ｂ、４１ｂを縫合することで結合部２ｂを形成することができ、端縁部３１ｃ、４１ｃを縫合することで結合部２ｃを形成することができ、また、端縁部３１ｄ、４１ｄを縫合することで結合部２ｄを形成することができる。
【００２２】
編物生地３、４の間に形成される空間部５および適量の洗剤および水分を保持した編物生地３、４により、洗浄具１の使用時に、泡立たせるために使用者が洗浄具１を手で揉んだ際、すなわち、圧縮と解放を繰り返した際に、洗剤、水分、および空気が良好に混ざり合い容易に泡が発生し、その泡持ちも良好となる。
【００２３】
洗浄具１の嵩密度は、１５ｃｍ３／ｇ以上３５ｃｍ３／ｇ以下である。嵩密度が１５ｃｍ３／ｇ未満の場合、編物生地自体が保持する空気量が少なくなり、泡立ち性が悪くなる。一方嵩密度が３５ｃｍ３／ｇを超える場合は、洗剤や水の保持性が低下して泡立ち性が悪くなりやすく、また泡もち性が悪くなる。
【００２４】
本実施形態における編物生地を編成する方法としては、丸編み機や横編み機等、従来公知のものを使用できる。また、編物生地の編み方は、平編み、ゴム編み、パール編み等、従来公知の編み方を採用できる。
【実施例１】
【００２５】
実施例１〜９及び比較例１〜８について、表１に示す構成で緯編生地を作成し、同一の編物生地２枚を重ね合わせて端縁部を縫合した洗浄具を作成した。また、比較例９として、「ＮＥＸ（登録商標）  泡立つネットクロス」（キクロン株式会社）、比較例１０として、「ズビズバ（登録商標）サラッシュ（登録商標）立体タイプ隅々まで洗えるあみたわし」（旭化成ホームプロダクツ株式会社）を使用した。
【００２６】
【表１】
0006722431.tif 000002
【００２７】
上記の実施例、比較例の洗浄具に関し、以下の評価を行いその結果を表２にまとめた。
【００２８】
＜追従性＞
ポリエチレン製食品用密封容器の蓋の溝部（幅２ｍｍ、深さ３ｍｍ）に試料を０．５〜０．８ｋｇｆの力で手で押しあて、溝にフィットするかどうかを目視で評価した。
合格：溝にフィットした
不合格：溝にフィットしなかった
【００２９】
＜泡立ち性＞
試料を水に浸して充分に吸水させた後に、手で絞り、台所用洗剤（フロッシュ（登録商標）食器用洗剤アロエヴェラ、旭化成ホームプロダクツ株式会社）３ｍｌを試料に付け、手で１０回揉みこんだときの泡立ち状態を目視で評価した。
合格：充分に泡立った
不合格：充分には泡立たなかった
【００３０】
＜乾燥性＞
試料を水に浸して充分に吸水させた後に、手で絞り、１６時間静置した後、手で触り湿り気の有無を確認した。
合格：湿り気を感じなかった
不合格：湿り気を感じた
【００３１】
＜手触り＞
試料を手で直接触り、試料から受けるチクチクとした刺激の有無を確認した。
合格：刺激を感じなかった
不合格：刺激を感じた
【００３２】
＜拭き取り性＞
試料を水に浸して充分に吸水させた後に、手で絞り、試料の中央に長さ５ｃｍ、幅２ｃｍ、重さ０．５ｋｇの錘を乗せて、口紅を塗り付けた塩化ビニル板上を１往復させたときの、被荷重領域の口紅の除去状態を評価した。
１：除去率は４０％未満であった
２：除去率は４０％以上８０％未満であった
３：除去率は８０％以上であった
【００３３】
＜掻き取り性＞
試料を水に浸して充分に吸水させた後に、手で絞り、親指で０．５−０．８ｋｇｆの荷重をかけながら、石鹸カス汚れが付着したステンレス板上を１回こすったときの石鹸カス汚れの除去状態を評価した。なお、石鹸カス汚れは、脂肪酸カルシウムの粉末をアルコールに分散させたものをステンレス板（ＳＵＳ３０４）上に均一に塗布し、アルコールを蒸発させた後に熱したホットプレートで３０秒加熱し乾燥させて作成した。
１：除去率は４０％未満であった
２：除去率は４０％以上８０％未満であった
３：除去率は８０％以上であった
【００３４】
【表２】
0006722431.tif 000003
【００３５】
本発明の洗浄用編布は、平糸、樹脂糸を用いる結果、食器や浴槽・洗面器等にこびりついた汚れを除去するのに好適な掻き取り性能および拭き取り性能を有し、また、所定の単繊維数を有する樹脂糸と所定の嵩密度により、快適な手触り性、密封容器の蓋の溝部等の洗浄も可能な追従性、すなわち柔軟性、泡立ち性、泡もち性、乾燥性に優れており、洗浄作業を有する分野において好適に用いることができる。例えば食器や浴室内の浴槽・洗面器等の洗浄に好適に用いることができる。
【００３６】
本発明は、前述した実施形態に限定されるものではなく、本発明の趣旨を逸脱しない範囲で様々な変形が可能である。
【００３７】
前述した実施形態においては、結合部２は、編物生地３、４の端縁を縫合することによって形成したが、接着、融着その他の態様を取ることもできる。また、洗浄具１においては、結合部２は外周部に露出した状態となっているが、内側に折り込んでいても良く、更に図３に示すように、編物生地３、４として、筒状に編成した編物生地を用いて両端部を縫合等によって閉鎖することで洗浄具１００を構成することもできる。この場合、結合部１０２ａ、１０２ｂは、筒状編物生地の折り返し部が編物生地３、４の端縁部３１ａ、３１ｂ、４１ａ、４１ｂとなって構成されるものとなり、結合部１０２ｃ、１０２ｄは両端の縫合部により構成されるものとなる。
【００３８】
また、前述した実施形態においては、洗浄具１は矩形の洗浄具であったが、形状は矩形に限定されるものではなく、丸形、楕円形、三角形、台形、ひし形、木の葉形、その他の形状を取ることもできる。
【符号の説明】
【００３９】
１、１００：洗浄具
２、１０２：結合部
３、４、１０３、１０４：編物生地
５、１０５：空間部
【図１】
0006722431.tif 000004
【図２】
0006722431.tif 000005
【図３】
0006722431.tif 000006